(57)【要約】【課題】サッシ下枠のサイズにかかわらず、サッシ下枠にシャッター下枠を簡便に取り付けることが可能な建具を実現することにある。【解決手段】サッシ下枠を有するサッシと、シャッター下枠を有するシャッターとを備え、前記サッシ下枠に前記シャッター下枠が取り付けられている建具であって、前記シャッター下枠には、前記サッシ下枠に対し進退自在な進退自在部が設けられており、前記進退自在部が前記サッシ下枠に取り付けられていることを特徴とする。【選択図】図４
2018031168.tif 000002
【特許請求の範囲】
【請求項１】
サッシ下枠を有するサッシと、シャッター下枠を有するシャッターとを備え、
前記サッシ下枠に前記シャッター下枠が取り付けられている建具であって、
前記シャッター下枠には、前記サッシ下枠に対し進退自在な進退自在部が設けられており、前記進退自在部が前記サッシ下枠に取り付けられていることを特徴とする建具。
【請求項２】
請求項１に記載の建具であって、
前記サッシ下枠は、前記シャッター下枠が取り付けられる被取り付け片を有し、
前記シャッター下枠は、シャッター下枠本体と前記進退自在部とに分割され、
前記進退自在部は、前記シャッター下枠本体に対し相対移動することで、前記被取り付け片に対し該被取り付け片の厚み方向に進退可能となっており、
前記進退自在部は、前記シャッター下枠本体に固定されることにより、前記被取り付け片に対し前記厚み方向に被せるように取り付けられていることを特徴とする建具。
【請求項３】
請求項２に記載の建具であって、
前記進退自在部の前記シャッター下枠本体に対する相対位置を位置決めし、前記進退自在部を前記シャッター下枠本体に固定するネジが備えられていることを特徴とする建具。
【請求項４】
請求項２又は請求項３に記載の建具であって、
前記進退自在部は、進退自在部本体と水密材とを有し、前記進退自在部本体と前記被取り付け片との間で前記水密材が挟まれた状態で前記被取り付け片に対し取り付けられていることを特徴とする建具。
【発明の詳細な説明】
【技術分野】
【０００１】
本発明は、建具に関する。特に、サッシとシャッターとを備えた建具に関する。
【背景技術】
【０００２】
サッシとシャッターとを備えた建具は、既によく知られている。このような建具の中には、サッシのサッシ下枠とシャッターのシャッター下枠とが分かれており、サッシ下枠にシャッター下枠が取り付けられているものがある。
【先行技術文献】
【特許文献】
【０００３】
【特許文献１】実公平３−１４２９９号公報
【発明の概要】
【発明が解決しようとする課題】
【０００４】
従来の建具において、サッシ下枠にシャッター下枠を取り付ける際には、特別な工夫をすることなく取り付けが行われていた。
【０００５】
しかしながら、近年のサッシ下枠のサイズの多様化に起因して、物理的干渉が生じないように各々のサイズに合わせたシャッター下枠を準備する対策等が必要となり、かかる煩わしさを回避するための方策が望まれていた。
【０００６】
本発明は、かかる課題に鑑みてなされたものであり、その目的とするところは、サッシ下枠のサイズにかかわらず、サッシ下枠にシャッター下枠を簡便に取り付けることが可能な建具を実現することにある。
【課題を解決するための手段】
【０００７】
かかる目的を達成するために本発明の建具は、サッシ下枠を有するサッシと、シャッター下枠を有するシャッターとを備え、
前記サッシ下枠に前記シャッター下枠が取り付けられている建具であって、
前記シャッター下枠には、前記サッシ下枠に対し進退自在な進退自在部が設けられており、前記進退自在部が前記サッシ下枠に取り付けられていることを特徴とする建具である。
【０００８】
このような建具によれば、サッシ下枠のサイズに応じて進退自在部を進退させることにより、物理的干渉を生じさせることなく多様なサイズのサッシ下枠にシャッター下枠を取り付けることが可能となる。つまり、当該シャッター下枠を一種類用意しておけば、多様なサイズのサッシ下枠に対応させることが可能となり、各々のサイズに合わせたシャッター下枠を準備したり、各々のサイズに合わせてシャッター下枠を加工したりする必要がなくなる。したがって、サッシ下枠のサイズにかかわらず、サッシ下枠にシャッター下枠を簡便に取り付けることが可能となる。
【０００９】
かかる建具であって、
前記サッシ下枠は、前記シャッター下枠が取り付けられる被取り付け片を有し、
前記シャッター下枠は、シャッター下枠本体と前記進退自在部とに分割され、
前記進退自在部は、前記シャッター下枠本体に対し相対移動することで、前記被取り付け片に対し該被取り付け片の厚み方向に進退可能となっており、
前記進退自在部は、前記シャッター下枠本体に固定されることにより、前記被取り付け片に対し前記厚み方向に被せるように取り付けられていることが望ましい。
【００１０】
このような建具によれば、サッシ下枠の被取り付け片の厚みに応じて、進退自在部を被取り付け片に対し該被取り付け片の厚み方向に進退させることにより、物理的干渉を生じさせることなく多様な厚みのサッシ下枠（被取り付け片）にシャッター下枠を取り付けることが可能となる。つまり、当該シャッター下枠を一種類用意しておけば、多様な厚みのサッシ下枠（被取り付け片）に対応させることが可能となり、各々の厚みに合わせたシャッター下枠を準備したり、各々の厚みに合わせてシャッター下枠を加工したりする必要がなくなる。したがって、サッシ下枠（被取り付け片）の厚みにかかわらず、サッシ下枠にシャッター下枠を簡便に取り付けることが可能となる。
【００１１】
かかる建具であって、
前記進退自在部の前記シャッター下枠本体に対する相対位置を位置決めし、前記進退自在部を前記シャッター下枠本体に固定するネジが備えられていることが望ましい。
【００１２】
このような建具によれば、進退自在部のシャッター下枠本体に対する固定がより確実なものとなる。
【００１３】
かかる建具であって、
前記進退自在部は、進退自在部本体と水密材とを有し、前記進退自在部本体と前記被取り付け片との間で前記水密材が挟まれた状態で前記被取り付け片に対し取り付けられていることが望ましい。
【００１４】
このような建具によれば、進退自在部に、水密材の圧縮度合いの調整機能も持たせることが可能となる。
【発明の効果】
【００１５】
本発明によれば、サッシ下枠のサイズにかかわらず、サッシ下枠にシャッター下枠を簡便に取り付けることができる建具を実現することが可能となる。
【図面の簡単な説明】
【００１６】
【図１】本実施の形態に係る建具１を示した縦断面図である。
【図２】従来例に係るシャッター下枠４０のサッシ下枠５（アルミニウム製）に対する取り付け構成を示した図である。
【図３】従来例に係るシャッター下枠４０のサッシ下枠５（合成樹脂製）に対する取り付け構成を示した図である。
【図４】本件例に係るシャッター下枠４０のサッシ下枠５に対する取り付け構成を示した図である。
【図５】本件例に係るシャッター下枠４０のサッシ下枠５に対する他の取り付け構成を示した図である。
【発明を実施するための形態】
【００１７】
＝＝＝本実施の形態に係る建具１について＝＝＝
本実施の形態に係る建具１について、図１を用いて説明する。なお、図１においては、シャッターカーテン２０が閉じた状態と開いた状態の双方を、座板部材２８及び一部のスラット２２を一つの図に複数表すことにより示している。また、図１においては、要部であるシャッター下枠４０のサッシ下枠５に対する取り付け構成について、便宜上従来例のものを示している。本実施の形態に係る当該取り付け構成については、次項において、図４及び図５を参照しつつ詳しく説明する。
【００１８】
また、以下の説明においては、建物等に取り付けられた状態の建具１を室外側から見たときに、上下となる方向を上下方向、左右となる方向を左右方向（図１において紙面を貫く方向）、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００１９】
本実施の形態に係る建具１は、サッシ３とシャッター１０とを有している。サッシ３は、枠体（便宜上、サッシ枠体と呼ぶ）と不図示の障子とを備えている。すなわち、サッシ３は、サッシ枠体として、サッシ上枠４、サッシ下枠５、及び不図示の左右のサッシ縦枠を有しており、これら４つのサッシ枠体が矩形状に枠組みされて形成された開口に前記障子が収容されている。
【００２０】
本実施の形態に係るシャッター１０は所謂直付け（分割）シャッターである。サッシ枠体とシャッターの枠体（便宜上、シャッター枠体と呼ぶ）とは別体となっており、サッシ枠体に被せるようにシャッター枠体が取り付けられている。すなわち、シャッター１０は、シャッター上枠１２とシャッター下枠４０と不図示の左右のシャッター縦枠を有しており、シャッター上枠１２はサッシ上枠４に被せるように、シャッター下枠４０はサッシ下枠５に被せるように、シャッター縦枠はサッシ縦枠に被せるように、それぞれ取り付けられている。
【００２１】
また、シャッター上枠１２とシャッター上枠１２の上方に設けられたルーフ板１４との間には、シャッターボックス１６が設けられている。そして、シャッターボックス１６の手前側（つまり、シャッターボックス１６の室外側）には、化粧板１８（点検板とも呼ばれる）が備えられている。
【００２２】
シャッターボックス１６には、シャッターカーテン２０と、巻き付け軸３０と、が備えられている。
【００２３】
シャッターカーテン２０は、後述する巻き付け軸３０に取り付けられており、当該巻き付け軸３０が回動することにより開閉するようになっている。そして、シャッターカーテン２０は、シャッターカーテン２０が閉じた際に、前述したサッシ３の障子よりも室外側において、建物の屋内外を仕切るようになっている。
【００２４】
シャッターカーテン２０は、複数のスラット２２と、座板部材２８と、を有している。
【００２５】
複数のスラット２２のうち、シャッターカーテン２０が閉じた際に最も上方に位置するスラット２２（便宜上、トップスラット２２ａと呼ぶ）は、巻き付け軸３０に連結され（固定され）ており、最も下方に位置するスラット２２（便宜上、ボトムスラット２２ｂと呼ぶ）は、座板部材２８と係合している。
【００２６】
座板部材２８は、シャッターカーテン２０の下端部に位置する部材である。座板部材２８は、シャッターカーテン２０が開いた際には、シャッター下枠４０との間に開口部を形成し、シャッターカーテン２０が閉じた際には、シャッター下枠４０（具体的には、後述するシャッター下枠本体４２）と接触して（シャッター下枠４０に着座して）当該開口部が生じないようにする。
【００２７】
巻き付け軸３０は、シャッターカーテン２０（具体的には、スラット２２）を巻き付けるための回動可能な軸である。この巻き付け軸３０の断面形状は、図１に示すように、略円形状を備えている。また、巻き付け軸３０の円周上の一点には、前述したトップスラット２２ａの一端部が固定されている。そして、トップスラット２２ａには、他のスラット２２が係合しており、当該他のスラット２２には、次の他のスラット２２が係合し、その後も順次スラット２２が係合している。したがって、巻き付け軸３０が回動すると、これらのスラット２２が順次巻き付け軸３０に巻き付くようになっている。
【００２８】
すなわち、シャッターカーテン２０が閉じた状態で、巻き付け軸３０が図１における時計方向に回動すると、先ずトップスラット２２ａが巻き付け軸３０に巻き付く。そして、その後は、係合している順番でスラット２２が巻き付け軸３０に巻き付くこととなる。巻き付け軸３０の回動（スラット２２の巻き付き）が継続されると、スラット２２と座板部材２８は徐々に上方へ移動し、シャッターカーテン２０が開いた状態となる。
【００２９】
なお、本実施の形態に係るシャッター１０においては、巻き付け軸３０の径とスラット２２のサイズ及び数の関係上、スラット２２が巻き付け軸３０に一重ではなく何重にも巻き付くようになっている（多重の巻き付き）。なお、図１においては、図の複雑化を避けるために、かかる様子の表示（中間に位置する幾つかのスラット２２の表示）を省略している。
【００３０】
一方で、シャッターカーテン２０が開いた状態で、巻き付け軸３０が図１における反時計方向に回動すると、スラット２２の巻き付き状態が順次解除されると共に、スラット２２及び座板部材２８が徐々に下方へ移動する。そして、座板部材２８がシャッター下枠４０（シャッター下枠本体４２）に至ると（着座すると）、シャッターカーテン２０が閉じた状態となる。
【００３１】
なお、巻き付け軸３０は手動ないし電動にて動作を行う。電動にて動作を行う場合には、シャッター１０には、巻き付け軸３０を回動させるための駆動部（モーター）が設けられており、当該駆動部が巻き付け軸３０を駆動するようになっている。
【００３２】
＝＝＝シャッター下枠４０のサッシ下枠５に対する取り付け構成について＝＝＝
次に、シャッター下枠４０のサッシ下枠５に対する取り付け構成について説明する。以下では、先ず、従来例に係る取り付け構成について説明し、その問題点を述べる。そして、これに引き続いて、本件例（すなわち、本実施の形態）に係る取り付け構成について説明する。
【００３３】
＜＜＜従来例とその問題点について＞＞＞
図２は、従来例に係るシャッター下枠４０のサッシ下枠５に対する取り付け構成を示した図である。サッシ下枠５は、アルミニウム製であり、サッシ下枠本体５ａと当該サッシ下枠本体５ａから下方へ延出したヒレ部５ｂを備えている。そして、当該ヒレ部５ｂが、シャッター下枠４０が取り付けられる被取り付け片７となっている。
【００３４】
一方、シャッター下枠４０は、シャッター下枠本体４２と、当該シャッター下枠本体４２から上方へ延出したヒレ部を備えている。そして、当該ヒレ部が取り付け片１４４となって被取り付け片７に取り付けられている。
【００３５】
すなわち、図２に示すように、取り付け片１４４は、被取り付け片７よりも見込み方向において室外側に位置し、当該室外側から被取り付け片７に対し該被取り付け片７の厚み方向に被せるように（換言すれば、厚み方向に重なるように）取り付けられている。そして、被取り付け片７に取り付け片１４４を被せた状態でシャッター下枠４０は躯体にネジ（便宜上、躯体固定ネジ６０と呼ぶ）で固定されている。
【００３６】
なお、図２に示されているように、取り付け片１４４は、被取り付け片７に対して直接ネジ止めされているわけではない。つまり、取り付け片１４４は、シャッター下枠４０が躯体にネジ止めされることにより、被取り付け片７に対し取り付けられている。すなわち、取り付け片１４４が「取り付けられている」とは、被取り付け片７に接触した状態で固定されていることを意味している。
【００３７】
このように、従来の建具１においては、サッシ下枠５にシャッター下枠４０を取り付ける際には、特別な工夫をすることなく取り付けが行われていた。しかしながら、近年のサッシ下枠５のサイズの多様化に起因して、以下の問題が生ずるようになってきた。
【００３８】
一例を挙げて説明する。図２に示した例では、サッシ下枠５はアルミニウム製であったが、近年合成樹脂製のサッシ下枠５が広く利用されるようになってきた（図３参照）。図３に示すように、合成樹脂製のサッシ下枠５については、合成樹脂が軟らかい材料であることからサッシ下枠５の強度を上げるために、サッシ下枠５（サッシ下枠本体５ａ及び被取り付け片７）のサイズが大きくなっている（具体的には、厚み（幅）が厚くなっている）。かかる場合に、今までと同じシャッター下枠４０をサッシ下枠５（被取り付け片７）に取り付けようとすると、図３に示すように、取り付け片１４４が被取り付け片７に物理的に干渉してしまう問題が発生する（なお、図３においては、互いに干渉する取り付け片１４４及び被取り付け片７を図上でオーバーラップさせることにより表している）。
【００３９】
また、サッシ下枠５が合成樹脂製である場合には、サッシ下枠５の強度を上げるために、サッシ下枠５が金属製の補強ブラケット５ｃを備える場合があった（かかる例については、本件例の説明において、後に図５を用いて述べる）。そして、このような場合には、被取り付け片７がヒレ部５ｂの他に補強ブラケット５ｃを備えるため、当該補強ブラケット５ｃの分さらに被取り付け片７のサイズが大きくなり（厚みが厚くなり）、前記問題が生ずる。
【００４０】
そして、このような問題を回避するためには、物理的干渉が生じないように各々のサイズ（厚み）に合わせたシャッター下枠４０を準備したり、各々のサイズ（厚み）に合わせてシャッター下枠４０を加工したりする対策が必要となり、かかる煩わしさを回避するための方策が望まれていた。
【００４１】
＜＜＜本件例について＞＞＞
本件例に係る建具１には、このような問題を解消するための方策が施されている。図４は、本件例に係るシャッター下枠４０のサッシ下枠５に対する取り付け構成を示した図である。
【００４２】
サッシ下枠５は、従来例と同様、サッシ下枠本体５ａと当該サッシ下枠本体５ａから下方へ延出したヒレ部５ｂを備えており、当該ヒレ部５ｂが、シャッター下枠４０が取り付けられる被取り付け片７となっている。なお、図４には、サッシ下枠５が合成樹脂製である例を表しているが、アルミニウム製のサッシ下枠５にも適応可能である。
【００４３】
一方で、従来例に係るシャッター下枠４０は、シャッター下枠本体４２と、当該シャッター下枠本体４２から上方へ延出したヒレ部を取り付け片１４４として備えていたが、本件例に係るシャッター下枠４０は、当該ヒレ部の代わりに、進退自在部４４を備えている。
【００４４】
この進退自在部４４は、サッシ下枠５に対し進退自在となるように（つまり、サッシ下枠５に近づいたりサッシ下枠５から遠ざかったりすることができるように）構成されている。つまり、従来例に係るシャッター下枠本体４２及びヒレ部（取り付け片１４４）が一体的に設けられていたのとは異なり、本実施の形態に係るシャッター下枠４０は、シャッター下枠本体４２と進退自在部４４とに分割されている。そして、進退自在部４４は、シャッター下枠本体４２に対し見込み方向に相対移動することで、サッシ下枠５に対し（具体的には、被取り付け片７に対し該被取り付け片７の厚み方向に）進退可能となっている。
【００４５】
そして、進退自在部４４は、そのシャッター下枠本体４２に対する見込み方向の相対位置がネジ（便宜上、位置決めネジ５０と呼ぶ）により位置決めされ、かつ、当該位置決めネジ５０によりシャッター下枠本体４２に固定された状態で、サッシ下枠５に取り付けられている。つまり、進退自在部４４は、被取り付け片７よりも見込み方向において室外側に位置し、シャッター下枠本体４２に固定されることにより、当該室外側から被取り付け片７に対し該被取り付け片７の厚み方向に被せるように（換言すれば、厚み方向に重なるように）取り付けられている。そして、被取り付け片７に進退自在部４４を被せた状態でシャッター下枠４０（シャッター下枠本体４２）は躯体に躯体固定ネジ６０で固定されている。
【００４６】
なお、従来例と同様、進退自在部４４は、被取り付け片７に対して直接ネジ止めされているわけではない。つまり、進退自在部４４は、シャッター下枠本体４２が躯体にネジ止めされることにより、被取り付け片７に対し取り付けられている。すなわち、進退自在部４４が「取り付けられている」とは、被取り付け片７に接触した状態で固定されていることを意味している。
【００４７】
進退自在部４４の具体的な構成について説明すると、進退自在部４４は、進退自在部本体（すなわち、載置部４４ａ、ネジ止め部４４ｂ、連結部４４ｃ、水密材支持部４４ｄ）と、水密材４４ｅと、を有している。すなわち、進退自在部４４は、進退自在部本体に水密材４４ｅが設けられた（貼られた）構成を備えている。
【００４８】
載置部４４ａは、シャッター下枠本体４２の上に載置された部分である。この載置部４４ａは、縦断面（図４）において見込み方向に沿い、当該シャッター下枠本体４２と接触している。進退自在部４４がシャッター下枠本体４２に対し見込み方向に相対移動する（サッシ下枠５に近づいたりサッシ下枠５から遠ざかったりする）際には、当該載置部４４ａがシャッター下枠本体４２上を滑ることとなる。
【００４９】
ネジ止め部４４ｂは、進退自在部４４をシャッター下枠本体４２に固定するための部分である。このネジ止め部４４ｂは、縦断面（図４）において上下方向に沿い、下端が載置部４４ａの室外側端と繋がっている。このネジ止め部４４ｂには、ネジ穴が設けられており、シャッター下枠本体４２の本体ネジ止め部４２ａと見込み方向において対向している。本体ネジ止め部４２ａは、シャッター下枠本体４２の上方に延出した部分であり、当該部分にもネジ穴が設けられている。そして、ネジ止め部４４ｂと本体ネジ止め部４２ａに亘って、双方のネジ穴を貫通するように、位置決めネジ５０が設けられている。なお、進退自在部４４がシャッター下枠本体４２に対し見込み方向に相対移動する（サッシ下枠５に近づいたりサッシ下枠５から遠ざかったりする）際には、ネジ止め部４４ｂと本体ネジ止め部４２ａの見込み方向における距離が大きくなったり小さくなったりする。
【００５０】
連結部４４ｃは、ネジ止め部４４ｂと水密材支持部４４ｄとを連結する部分である。この連結部４４ｃは、縦断面（図４）において見込み方向に沿い、室外側端がネジ止め部４４ｂの上端と繋がっている。
【００５１】
水密材支持部４４ｄは、水密材４４ｅを支持するための部分である。この水密材支持部４４ｄは、縦断面（図４）において上下方向に沿い、上方部分が連結部４４ｃの室内側端と繋がっている。
【００５２】
水密材４４ｅは、雨水が躯体に回り込まないように雨水をブロックする役割を果たす。この水密材４４ｅは、水密材支持部４４ｄの室内側の面に貼り付けられている。そして、当該水密材４４ｅが、進退自在部４４がサッシ下枠５（被取り付け片７）に取り付けられる際にサッシ下枠５（被取り付け片７）に接触する部分となる。つまり、進退自在部４４は、進退自在部本体（水密材支持部４４ｄ）と被取り付け片７との間で水密材４４ｅが挟まれた状態で被取り付け片７に対して取り付けられている。そして、水密材４４ｅは、雨水が進退自在部本体（水密材支持部４４ｄ）と被取り付け片７との間を通過することを抑止する。
【００５３】
図５は、本件例に係るシャッター下枠４０のサッシ下枠５に対する他の取り付け構成を示した図である。図５の図４との違いは、サッシ下枠５の構成である。すなわち、図５においては、サッシ下枠５の強度を上げるために、サッシ下枠５が金属製の補強ブラケット５ｃを備えている。そのため、被取り付け片７は、見込み方向において室内側に位置するヒレ部５ｂと室外側に位置する補強ブラケット５ｃからなり、水密材４４ｅは、補強ブラケット５ｃと接触する。そして、水密材４４ｅは、水密材支持部４４ｄと補強ブラケット５ｃとの間で挟まれた状態となる。
【００５４】
このように、本実施の形態に係る建具１は、サッシ下枠５を有するサッシ３と、シャッター下枠４０を有するシャッター１０とを備え、サッシ下枠５にシャッター下枠４０が取り付けられている構造を有している。そして、シャッター下枠４０には、サッシ下枠５に対し進退自在な進退自在部４４が設けられており、この進退自在部４４がサッシ下枠５に取り付けられている。
【００５５】
そのため、サッシ下枠５のサイズに応じて進退自在部４４を進退させることにより、物理的干渉を生じさせることなく多様なサイズのサッシ下枠５にシャッター下枠４０を取り付けることが可能となる。つまり、本実施の形態に係るシャッター下枠４０を一種類用意しておけば、多様なサイズのサッシ下枠５に対応させることが可能となり、各々のサイズに合わせたシャッター下枠４０を準備したり、各々のサイズに合わせてシャッター下枠４０を加工したりする必要がなくなる。したがって、サッシ下枠５のサイズにかかわらず、サッシ下枠５にシャッター下枠４０を簡便に取り付けることが可能となる。
【００５６】
また、本実施の形態において、サッシ下枠５は、シャッター下枠４０が取り付けられる被取り付け片７を有し、シャッター下枠４０は、シャッター下枠本体４２と進退自在部４４とに分割され、進退自在部４４は、シャッター下枠本体４２に対し相対移動することで、被取り付け片７に対し該被取り付け片７の厚み方向に進退可能となっており、進退自在部４４は、シャッター下枠本体４２に固定されることにより、被取り付け片７に対し前記厚み方向に被せるように取り付けられていることとした。
【００５７】
そのため、サッシ下枠５の被取り付け片７の厚みに応じて、進退自在部４４を被取り付け片７に対し該被取り付け片７の厚み方向に進退させることにより、物理的干渉を生じさせることなく多様な厚みのサッシ下枠５（被取り付け片７）にシャッター下枠４０を取り付けることが可能となる。
【００５８】
すなわち、サッシ下枠５の被取り付け片７の厚みが大きいときには、位置決めネジ５０を緩めて、進退自在部４４を被取り付け片７から遠ざかるように室外側へ移動させればよい。逆に、サッシ下枠５の被取り付け片７の厚みが小さいときには、位置決めネジ５０を締めて、進退自在部４４を被取り付け片７に近づくように室内側へ移動させればよい。
【００５９】
このような調整を行うことにより、本実施の形態に係るシャッター下枠４０を一種類用意しておけば、多様な厚みのサッシ下枠５（被取り付け片７）に対応させることが可能となり、各々の厚みに合わせたシャッター下枠４０を準備したり、各々の厚みに合わせてシャッター下枠４０を加工したりする必要がなくなる。したがって、サッシ下枠５（被取り付け片７）の厚みにかかわらず、サッシ下枠５にシャッター下枠４０を簡便に取り付けることが可能となる。
【００６０】
なお、本実施の形態においては、進退自在部４４のシャッター下枠本体４２に対する相対位置を位置決めし、進退自在部４４をシャッター下枠本体４２に固定する位置決めネジ５０が備えられていることとした。しかしながら、これに限定されるものではなく、位置決めネジ５０が存在しない例であっても構わない。
【００６１】
例えば、進退自在部４４をネジなしで固定（嵌め込みによる固定等）できる固定部をシャッター下枠本体４２に予め複数箇所用意しておき、当該複数箇所の各々に進退自在部４４を移動させたときに進退自在部４４が被取り付け片７に近づいたり被取り付け片７から遠ざかったりするような構成としてもよい。
【００６２】
ただし、進退自在部４４のシャッター下枠本体４２に対する固定がより確実なものとなる点で、本実施の形態の方が望ましい。
【００６３】
また、本実施の形態において、進退自在部４４は、進退自在部本体と水密材４４ｅとを有し、進退自在部本体と被取り付け片７との間で水密材４４ｅが挟まれた状態で被取り付け片７に対し取り付けられていることとした。
【００６４】
そのため、進退自在部４４に、水密材４４ｅの圧縮度合いの調整機能も持たせることが可能となる。つまり、進退自在部４４を進退させることにより、水密材４４ｅの圧縮度合いを調整して、水密材４４ｅの止水性能を最適化することが可能となる。なお、図４及び図５においては、図の都合上、水密材４４ｅが圧縮している状態は表されておらず、圧縮前の水密材４４ｅが被取り付け片７にオーバーラップした形で表されている。
【００６５】
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００６６】
１  建具、３  サッシ、４  サッシ上枠
５  サッシ下枠、５ａ  サッシ下枠本体
５ｂ  ヒレ部、５ｃ  補強ブラケット
７  被取り付け片
１０  シャッター、１２  シャッター上枠、１４  ルーフ板
１６  シャッターボックス、１８  化粧板
２０  シャッターカーテン
２２  スラット、２２ａ  トップスラット、２２ｂ  ボトムスラット
２８  座板部材、３０  巻き付け軸
４０  シャッター下枠
４２  シャッター下枠本体、４２ａ  ネジ止め部
４４  進退自在部、４４ａ  載置部、４４ｂ  ネジ止め部
４４ｃ  連結部、４４ｄ  水密材支持部、４４ｅ  水密材
５０  位置決めネジ、６０  躯体固定ネジ
１４４  取り付け片
【図１】
2018031168.tif 000003
【図２】
2018031168.tif 000004
【図３】
2018031168.tif 000005
【図４】
2018031168.tif 000006
【図５】
2018031168.tif 000007